(57)【要約】【課題】適当なタイミングで記録媒体のフォーマットを使用者に促すことができるドライブレコーダーを提供すること。【解決手段】車両に搭載されるドライブレコーダーは、カメラと、カメラによって撮影された映像を記録媒体に記録する記録制御部と、使用者に対して画像、光及び音の少なくとも１つを用いた報知を行う報知部と、ドライブレコーダーの動作中に所定のタイミングで、記録媒体のフォーマットを促す報知を報知部が行うようドライブレコーダーを管理する管理部とを備える。所定のタイミングは、予め設定された毎月、毎週又は毎日の所定の日時である。また、所定のタイミングは、前記記録媒体がフォーマットされた時点からの前記記録制御部による映像の記録時間を累積した値がしきい値に到達した時点である。【選択図】図４
2017120498.tif 000002
【特許請求の範囲】
【請求項１】
車両に搭載されるドライブレコーダーであって、
カメラと、
前記カメラによって撮影された映像を記録媒体に記録する記録制御部と、
使用者に対して画像、光及び音の少なくとも１つを用いた報知を行う報知部と、
前記ドライブレコーダーの動作中に所定のタイミングで、前記記録媒体のフォーマットを促す報知を前記報知部が行うよう前記ドライブレコーダーを管理する管理部と、
を備える、ドライブレコーダー。
【請求項２】
請求項１に記載のドライブレコーダーであって、
前記所定のタイミングは、予め設定された毎月、毎週又は毎日の所定の日時である、ドライブレコーダー。
【請求項３】
請求項２に記載のドライブレコーダーであって、
前記所定の日時は、前記ドライブレコーダーの使用者によって予め設定される、ドライブレコーダー。
【請求項４】
請求項１に記載のドライブレコーダーであって、
前記所定のタイミングは、前記記録媒体がフォーマットされた時点からの前記記録制御部による映像の記録時間を累積した値がしきい値に到達した時点である、ドライブレコーダー。
【請求項５】
請求項４に記載のドライブレコーダーであって、
前記しきい値は、前記記録媒体に記録される映像の解像度及び前記記録媒体の記憶容量に応じて異なり、前記記録媒体の記憶容量に相当するデータ量の映像を前記記録制御部が前記記録媒体に記録する時間に略等しい、ドライブレコーダー。
【請求項６】
請求項４に記載のドライブレコーダーであって、
前記しきい値は、前記ドライブレコーダーの使用者によって予め設定される、ドライブレコーダー。
【請求項７】
請求項１から６のいずれか１項に記載のドライブレコーダーであって、
前記報知部による前記記録媒体のフォーマットを促す報知は、フォーマットを促す画像のディスプレイ表示、発光部による所定の色の光の発光、及び、スピーカーからのフォーマットを促す音声出力の少なくともいずれか１つである、ドライブレコーダー。
【請求項８】
請求項１から７のいずれか１項に記載のドライブレコーダーであって、
前記報知部による報知には、前記記録媒体をフォーマットするための操作方法が含まれる、ドライブレコーダー。
【発明の詳細な説明】
【技術分野】
【０００１】
本発明は、車両に搭載されるドライブレコーダーに関する。
【背景技術】
【０００２】
従来のドライブレコーダーは、例えば特許文献１に開示されているように、エンジン始動からエンジン停止までの映像をマイクロＳＤカード等の記録媒体に常時録画する。その録画方法は、設定により最大１５分を１ファイルとするファイルに分割されつつ記録され、記録時間が記録媒体の容量を越える場合は、古いファイルから順にファイル単位で上書きする。
【先行技術文献】
【特許文献】
【０００３】
【特許文献１】特開２０１４−２２９０４９号公報
【発明の概要】
【発明が解決しようとする課題】
【０００４】
上記ドライブレコーダーにおいて、常時録画によって作成される新たなファイルは、古いファイルから順にファイル単位で記録媒体に上書きされる。このため、当該ドライブレコーダーが長時間録画を行っていると、記録媒体のセクタに損傷等が生じてファイルの書き込みが行えず、録画を行えないといった事態が生じる可能性が高くなる。また、記録媒体の上書きを数多く行うと、記録媒体に断片化（フラグメンテーション）が多数発生し、記録媒体への書き込み速度の低下や記録又は消去等のパフォーマンスの低下が生じるため、当該記録媒体においてエラーが発生する可能性が高くなる。このため、ドライブレコーダーの使用者には、取扱説明書やカタログ等の書面にて、記録媒体の定期的なフォーマットを推奨している。
【０００５】
しかし、こういった書面における注意喚起だけでは、記録媒体のフォーマットが定期的に行われることは少ない。その結果、記録媒体に不良セクタが発生して、ファイルの書き込みエラーや記録媒体の認証エラー等が生じてしまう。こういったエラーの発生に使用者が気付かないと、ドライブレコーダーにおいて必要な映像が記録されないといった状態が継続してしまう。
【０００６】
本発明は、上述した事情に鑑みなされたものであり、適当なタイミングで記録媒体のフォーマットを使用者に促すことができるドライブレコーダーを提供することを目的とする。
【課題を解決するための手段】
【０００７】
上記課題を達成するために、本発明は、以下の態様を提供する。
（１）  車両に搭載されるドライブレコーダーであって、
カメラと、
前記カメラによって撮影された映像を記録媒体に記録する記録制御部と、
使用者に対して画像、光及び音の少なくとも１つを用いた報知を行う報知部と、
前記ドライブレコーダーの動作中に所定のタイミングで、前記記録媒体のフォーマットを促す報知を前記報知部が行うよう前記ドライブレコーダーを管理する管理部と、
を備える、ドライブレコーダー。
【０００８】
（２）  前記（１）に記載のドライブレコーダーであって、
前記所定のタイミングは、予め設定された毎月、毎週又は毎日の所定の日時である、ドライブレコーダー。
【０００９】
（３）  前記（２）に記載のドライブレコーダーであって、
前記所定の日時は、前記ドライブレコーダーの使用者によって予め設定される、ドライブレコーダー。
【００１０】
（４）  前記（１）に記載のドライブレコーダーであって、
前記所定のタイミングは、前記記録媒体がフォーマットされた時点からの前記記録制御部による映像の記録時間を累積した値がしきい値に到達した時点である、ドライブレコーダー。
【００１１】
（５）  前記（４）に記載のドライブレコーダーであって、
前記しきい値は、前記記録媒体に記録される映像の解像度及び前記記録媒体の記憶容量に応じて異なり、前記記録媒体の記憶容量に相当するデータ量の映像を前記記録制御部が前記記録媒体に記録する時間に略等しい、ドライブレコーダー。
【００１２】
（６）  前記（４）に記載のドライブレコーダーであって、
前記しきい値は、前記ドライブレコーダーの使用者によって予め設定される、ドライブレコーダー。
【００１３】
（７）  前記（１）から（６）のいずれかに記載のドライブレコーダーであって、
前記報知部による前記記録媒体のフォーマットを促す報知は、フォーマットを促す画像のディスプレイ表示、発光部による所定の色の光の発光、及び、スピーカーからのフォーマットを促す音声出力の少なくともいずれか１つである、ドライブレコーダー。
【００１４】
（８）  前記（１）から（７）のいずれかに記載のドライブレコーダーであって、
前記報知部による報知には、前記記録媒体をフォーマットするための操作方法が含まれる、ドライブレコーダー。
【発明の効果】
【００１５】
上記（１）の態様によれば、ドライブレコーダーの動作中に所定のタイミングで記録媒体のフォーマットを促す報知が行われるため、適当なタイミングで当該フォーマットをドライブレコーダーの使用者に促すことができる。
【００１６】
上記（２）の態様によれば、記録媒体のフォーマットを促す報知を、定期的に行うことができる。その結果、このタイミングで当該フォーマットが行われれば断片化がなくなるため、記録媒体へのファイルの書き込みエラー等が発生する可能性を低減でき、記録媒体への書き込み速度等といったパフォーマンスの低下を回復できる。
【００１７】
上記（３）の態様によれば、記録媒体のフォーマットを促す報知が、ドライブレコーダーの使用者の所望のタイミングに行われる。
【００１８】
上記（４）の態様によれば、記録媒体のフォーマットを促す報知を、当該記録媒体へのデータ書込量に適したタイミングで行うことができる。その結果、このタイミングで当該フォーマットが行われれば、記録媒体へのファイルの書き込みエラー等が発生する可能性を低減できる。
【００１９】
上記（５）の態様によれば、記録媒体のフォーマットを促す報知を、映像の解像度及び記録媒体の記録容量と記録媒体へのデータ書込量とのバランスに応じて適したタイミングで行うことができる。
【００２０】
上記（６）の態様によれば、記録媒体のフォーマットを促す報知が、ドライブレコーダーの使用者の所望のタイミングに行われる。
【００２１】
上記（７）の態様によれば、記録媒体のフォーマットを促す報知を、視覚的又は聴覚的に行うことができる。
【００２２】
上記（８）の態様によれば、操作方法が分からないためフォーマットを行わないといった事態を抑制して、ドライブレコーダーの使用者がフォーマットを行う可能性を高めることができる。
【図面の簡単な説明】
【００２３】
【図１】車室内に設けられた本発明に係る一実施形態のドライブレコーダーを示す概略図である。
【図２】図１に示したドライブレコーダーを後面側（ルームミラー側）から見た斜視図である。
【図３】図１に示したドライブレコーダーを前面側（フロントガラス側）から見た斜視図である。
【図４】図１〜図３に示したドライブレコーダーの内部構成を示すブロック図である。
【図５】ディスプレイに表示されるフォーマットを促す画像の一例を示す図である。
【発明を実施するための形態】
【００２４】
以下、本発明の一実施形態について、図面を参照して説明する。なお、図面は符号の向きに見るものとし、以下の説明において、前後、左右、上下は、運転者から見た方向に従い、図面に車両の前方をＦｒ、後方をＲｒ、左側をＬ、右側をＲ、上方をＵ、下方をＤ、として示す。
【００２５】
図１は、車室内に設けられた本発明に係る一実施形態のドライブレコーダーを示す概略図である。図１に示すように、本実施形態のドライブレコーダー１００は、車両のフロントガラスＦＧ内側の所定の部位に両面テープ等によって固着されたブラケットが保持する状態で、車両に備え付けのルームミラーＲＭの裏側に設けられる。また、ドライブレコーダー１００は、車両のダッシュボードＤＢの上面に両面テープ等によって固着されたブラケットが保持する状態で設けられても良い。ドライブレコーダー１００には、車両のＤＣ電源系に接続された図示しない電源ケーブルを介して電力が供給される。
【００２６】
図２は、図１に示したドライブレコーダー１００を後面側（ルームミラーＲＭ側）から見た斜視図であり、図３は、図１に示したドライブレコーダー１００を前面側（フロントガラスＦＧ側）から見た斜視図である。図２及び図３に示すように、ドライブレコーダー１００は、略直方体形状のドライブレコーダー本体（以下、単に「本体」という。）１０１とブラケット１０３とから構成されている。本体１０１の後面側中央部にはディスプレイ１６５が配設され、ディスプレイ１６５の脇にはボタン１７３、ＬＥＤランプ１６７及びマイクの音声取込口１２１が配設されている。なお、ディスプレイ１６５は、タッチパネルと一体型のディスプレイであっても良い。また、本体１０１の前面側には、カメラ１５５及びスピーカーの音声出力口１２３が配設されている。また、本体１０１のブラケット１０３によって保持される面と反対側の面（図示せず）には、カメラ１５５によって撮影された映像が記録される記録媒体であるメモリカードを収容するメモリカード収容部が形成されている。
【００２７】
図４は、図１〜図３に示したドライブレコーダー１００の内部構成を示すブロック図である。図４に示すように、ドライブレコーダー１００は、３Ｇセンサー１５１と、ＧＰＳ（Global positioning system）受信部１５３、カメラ１５５と、時計１５７と、一次記憶メモリ１５９と、メモリカード収容部１６１と、メモリカードインターフェイス１６３と、ディスプレイ１６５と、ＬＥＤランプ１６７と、スピーカー１６９と、マイク１７１と、ボタン１７３と、制御部１７５とを有する。
【００２８】
以下、ドライブレコーダー１００が有する各構成要素について説明する。
【００２９】
３Ｇセンサー１５１は、ドライブレコーダー１００を搭載した車両に対する外部衝撃を検知する。３Ｇセンサー１５１は、所定以上の大きさの外部衝撃を検知すると衝撃検知信号を出力する。３Ｇセンサー１５１が出力した衝撃検知信号は制御部１７５に送られる。ＧＰＳ受信部１５３は、ＧＰＳ衛星からの電波を受信する。ＧＰＳ受信部１５３が受信した電波が表す信号は制御部１７５に送られる。
【００３０】
カメラ１５５は、ドライブレコーダー１００前方の映像を撮影する。カメラ１５５が撮影した映像のデータは制御部１７５に送られる。時計１５７は、映像の撮影日時情報等を制御部１７５に提供する。一次記憶メモリ１５９は、カメラ１５５が撮影した映像等のデータを一時的に記憶するキャッシュメモリである。
【００３１】
メモリカード収容部１６１は、ドライブレコーダー１００に着脱可能なカード状の記録媒体であるメモリカード１０を収容する。メモリカードインターフェイス１６３は、メモリカード収容部１６１に収容されたメモリカード１０へのデータの書き込み及びメモリカード１０からのデータの読み出しを行うためのインターフェイスである。
【００３２】
ディスプレイ１６５は、カメラ１５５が撮影した映像や、ドライブレコーダー１００の設定画面、ガイド又は警報等を示す通知画像等を表示する。ＬＥＤランプ１６７は、ガイド又は警報等を示す例えば赤色の光を発光する。スピーカー１６９は、ガイド又は警報等を示す通知音声や、ボタン１７３の操作音を出力する。マイク１７１は、ドライブレコーダー１００が搭載された車室内の音声を集音する。ボタン１７３は、使用者がドライブレコーダー１００の動作を操作するためのボタンである。
【００３３】
制御部１７５は、カメラ１５５が撮影した映像のデータを、一次記憶メモリ１５９からメモリカードインターフェイス１６３を介してメモリカード１０に記録する。制御部１７５は、カメラ１５５が撮影した映像を常時メモリカード１０に記録する常時記録と、３Ｇセンサー１５１が出力した衝撃検知信号をトリガーとしたイベント発生時の映像を含むイベント発生前後の映像を記録するイベント記録とを行う。また、制御部１７５は、ＧＰＳ受信部１５３からの信号に基づいて、ドライブレコーダー１００を搭載した車両の現在位置を測位した上で、常時記録又はイベント記録によって作成された映像に位置情報を追加する。
【００３４】
制御部１７５は、所定のタイミングでメモリカード１０のフォーマットを促す報知を行う。当該報知を行うタイミングには、日時に関する定期的なタイミング及びメモリカード１０へのデータ書込量に適したタイミングが含まれる。日時に関する定期的なタイミングは、予め設定された毎月、毎週又は毎日の所定の日時であり、ドライブレコーダー１００の使用者によって予め設定される。また、メモリカード１０へのデータ書込量に適したタイミングは、メモリカード１０が最後にフォーマットされた時点からの映像の記録時間を累積した値がしきい値に到達した時点である。なお、記録時間の累積値と比較されるしきい値は、メモリカード１０に記録される映像の解像度及びメモリカード１０の記憶容量に応じて異なり、メモリカード１０の常時記録によって作成された映像のデータを記憶するための領域のサイズに相当するデータ量の映像をメモリカード１０に記録する時間に略等しい。なお、上記しきい値は、ドライブレコーダー１００の使用者によって予め設定されても良い。
【００３５】
また、制御部１７５が行う上記報知は、図５に示すディスプレイ１６５へのフォーマットを促す画像表示、ＬＥＤランプ１６７による例えば赤色の光の発光、及びスピーカー１６９からのフォーマットを促す音声出力の少なくともいずれか１つを用いて行われる。なお、図５に示すディスプレイ１６５へのフォーマットを促す画像表示は一例である。フォーマットを促す画像表示は、文字の他、イラスト若しくは画像、又はこれらを点滅、スライドイン若しくはワイプインするよう動きを加えて行っても良く、動画であっても良い。また、制御部１７５は、ディスプレイ表示によるフォーマットを促す報知と共に、メモリカード１０をフォーマットするための操作方法を併せてディスプレイ１６５に表示するよう制御しても良い。同様に、制御部１７５は、音声出力によるフォーマットを促す報知と共に、メモリカード１０をフォーマットするための操作方法を示す音声出力をスピーカー１６９が続けて行うよう制御しても良い。
【００３６】
以上説明したように、本実施形態によれば、ドライブレコーダー１００の動作中に、日時に関する定期的なタイミングやメモリカード１０へのデータ書込量に適したタイミングといった所定のタイミングでメモリカード１０のフォーマットを促す報知が行われるため、適当なタイミングで当該フォーマットをドライブレコーダー１００の使用者に促すことができる。その結果、このタイミングで当該フォーマットが行われれば、メモリカード１０へのファイルの書き込みエラー等が発生する可能性を低減でき、メモリカード１０への書き込み速度等といったパフォーマンスの低下を回復できる。また、メモリカード１０のフォーマットを促す報知は、ディスプレイ１６５の画像表示、ＬＥＤランプ１６７の発光及びスピーカー１６９の音声出力によって行われるため、当該報知を使用者の視覚的又は聴覚的に訴えて行うことができる。さらに、当該報知と共に、メモリカード１０をフォーマットするための操作方法がディスプレイ１６５の画像表示又はスピーカー１６９の音声出力によって説明されるため、操作方法が分からないためフォーマットを行わないといった事態を抑制して、ドライブレコーダー１００の使用者がフォーマットを行う可能性を高めることができる。
【００３７】
なお、本発明は、前述した実施形態に限定されるものではなく、適宜、変形、改良、等が可能である。例えば、ドライブレコーダー１００のカメラ１５５は、ドライブレコーダー１００の他の構成要素とは別体に構成されていても良い。この場合、カメラ１５５とドライブレコーダー１００の他の構成要素を備える本体とは、ケーブル等によって接続される。また、ドライブレコーダー１００にはディスプレイ１６５が含まれていなくても良い。さらに、ドライブレコーダー１００は、メモリカード１０への書き込みエラー又はメモリカード１０の認証エラーが発生した際にも、上述したメモリカード１０のフォーマットを促す報知を行っても良い。
【符号の説明】
【００３８】
１００  ドライブレコーダー
１０１  ドライブレコーダー本体
１０３  ブラケット
１５１  ３Ｇセンサー
１５３  ＧＰＳ受信部
１５５  カメラ
１５７  時計
１５９  一次記憶メモリ
１６１  メモリカード収容部
１６３  メモリカードインターフェイス
１６５  ディスプレイ
１６７  ＬＥＤランプ
１６９  スピーカー
１７１  マイク
１７３  ボタン
１７５  制御部
【図１】
2017120498.tif 000003
【図２】
2017120498.tif 000004
【図３】
2017120498.tif 000005
【図４】
2017120498.tif 000006
【図５】
2017120498.tif 000007